(57)【要約】【課題】従来、充電工具のケースには、充電器の電源コードを収めることができる隙間はあったが、コードを隙間に押し込める作業がたいへん煩わしく時間もかかった。そこで、充電工具用収納ケース又は充電器単体において、コード巻き取り装置を提供する。【解決手段】大きいローラー（１３）と、扉付き収納スペースで構成されるものもで、コードを収納する場合、ローラーを手のひらで回すと、コードは扉とローラーと本体の隙間から収納スペース内に引き込まれる構造とした。【選択図】          図９
2004269072.tif 000002
【特許請求の範囲】
【請求項１】
充電器の格納が可能な充電工具用ケースにおいて又は充電工具用充電器において、充電器の電源コードの巻き取り装置又は巻き取り装置及びコード収納スペースを備えたもの。
【請求項２】
コードの巻き取り装置又は巻き取り装置及びコード収納ケースにおいて、充電器の格納が可能な充電工具用ケースの内部又は外部に装着が可能なもの。
【請求項３】
動力又は手動にてローラーを直接又は間接的に回転させ、そのローラーでもってコードを保持し且つコード収納スペース内にコードを引き込むことを特徴とするコード収納装置。
【請求項４】
請求項３記載のコード収納装置を備えた、充電器の格納が可能な充電工具用ケース又は電化製品又は電動工具又は弱電機器。
【発明の詳細な説明】
【０００１】
【発明の属する技術分野】
充電工具用ケース又は家電又は電動工具又は弱電機器のコード収納装置に関する。
【０００２】
【従来の技術】
従来、充電工具のケースには、充電器の電源コードを収めることができる隙間はあったが、充電工具に関する様々な付属品や関連品をケース内に一緒に収納する場合が多く、特にそのような状況においては、コードを隙間に押し込める作業がたいへん煩わしく時間もかかった。
【０００３】
従来のコード巻き取り装置としては次のものがある。何れもコード引き込み口と相対的に回転可能なドラムにフックが付いており、束ねようとするコードの中間部分をフックに引っ掛けドラムを回転させてコードを収納する。
【特許文献１】特許公開２００１−３３５２４３号広報（第３項、図１）。
【特許文献２】特許公開２００１−３０２１０４号広報（第３項、図１）。
【０００４】
【発明が解決しようとする課題】
充電工具用格納ケース又は充電器単体において、コード巻き取り装置を提供する。本充電工具の格納ケースに取り付ける収納装置として以上の公知のものを採用することも可能である。しかし、中間点を持ってフックに引っ掛け、ドラムで巻き取るという作業は、本充電工具の充電器のコードが比較的短いわりには、アクション数が多すぎる。そこで、アクション数の少ないコード収納装置を提供する。
【０００５】
【課題を解決するための手段】
充電工具用充電器ケースのコード巻き取り装置としては、充電工具用格納ケースの内部の任意の場所に、コード引出し穴を備えたカバーを取り付けて、その中にコード巻き取り装置を収納する。
【０００６】
アクション数の少ないコード収納装置としては、ドラムによる巻き取り機構を無くし、コード送り込み機構と収納スペースを持つものとする。詳しくは、コード収納スペースを持ち、更に動力源を持ち又は手動によりローラー又はギヤ等を回転させ、そのローラー又はギヤ等によりコードを保持し且つ送り出し、そのコード収納スペース内にコードを送り込むことを特徴とするコード収納装置。
【０００７】
【発明の実施の形態】
充電工具用充電器のコード巻き取り装置としては、充電器本体内部にコード巻き取りドラムを備え、回転するドラムと、固定された内部の機器を電気的に繋ぐ為の導通部分とブラシを有し、ドラムを手動で回転させる為の取っ手又は自動で回転させる為のゼンマイ等の動力源を持つ。
【０００８】
充電工具用充電器ケースのコード巻き取り装置としては、充電工具用収納ケースの内部の任意の場所に、回転可能なドラムにフックが付いており束ねようとするコードの中間部分をフックに引っ掛けドラムを回転させてコードを収納するタイプのコード巻き取り装置を、コード引き込み部を固定式としてドラム部分を回転可動可能とした構造にて取り付け、そのドラムを手動で回転させる為の取っ手又は自動で回転させる為のバネ等の動力源を持つ。そのとき、コードのほぼ中間点に、コード自体にフックを取り付け、ドラムにはそのコードのフックを引っ掛ける突起が付いたものも考えられる。
【０００９】
アクション数の少ないコード収納装置としては、充電工具用収納ケースの内部１の任意の場所に、コード収納用の囲い２を取り付け、そのコード収納用の囲いの一部にコード引き込み穴とガイドローラー３を備えたものとする。ガイドローラー３の一方は、動力を伝える円盤４と連動するもので、ガイドローラー３や円盤４の互いの接触面は、歯車でもいいが、摩擦が大きく弾性を有する材質でもよい。円盤４の上部にはハンドル５が付いており、それを回して、バネ６に動力を蓄える。勿論、普段は回転しないように戻り防止機構を付けたり、任意に回転させる為に、戻り防止機構を解除させる機能を付けることも考えられる。以上の構造により、ローラーに挟まれたコード７はコード収納スペース内８に送り込まれる。コードを引き出す場合は、そのままガイドローラー３より引っ張ってもよいが、中で絡まる場合が考えられるので、開き防止フック９を外して、上蓋１０を開き、ローラー３の一方の可動アーム１１を手前１２に引きながらコードをローラーから外して、コードを取り出す。
【００１０】
もっと簡略化した形状として、大きいローラー１３と、扉１４付き収納スペース１５で構成されるものも考えられる。コードを収納する場合、ローラーを手のひらで回すと、コードは扉とローラーと本体の隙間から矢印方向１６に引き込まれる。ローラーを手のひらで回すことにより、バネ等により力を蓄えて、コード収納時にその動力によりローラーを回転させ、コードを引き込む構造も考えられる。コード取り出し時は、扉を開けて引っ張り出す。以上のものは、充電工具のケースに転用する場合の具体例であり、一般の強電や弱電のコード収納装置としても機能する構造である。
【００１１】
【発明の効果】
充電工具用充電器ケース又は充電器本体のコード巻き取り装置においては、コードを収めるときの煩わしさが解消され、こまめに充電する動機になり、電池切れによる作業効率の悪さをも軽減するもので、今までこのような機能が無かっただけに、本発明の効果は大きい。
【００１２】
従来品はコードをドラムにコイル状に巻くため磁界や熱が発生しやすかったが、上述のコード送り込み機構と収納スペースを持つコード収納装置においては、コードが収納スペース内に不規則な状態で収納されるため磁界や熱が発生しにくいという利点があり、又使いやすく安価である。
【図面の簡単な説明】
【図１】従来の充電工具用ケースを示した斜視図である。
【図２】コード収納スペースを示した斜視図である。
【図３】コード収納スペースの側面と上蓋を示した斜視図である。
【図４】コード収納スペースの側面と上蓋を組み立てた状態を示した斜視図である。
【図５】コードガイド用ローラーと巻き取り駆動用ローラーの位置関係を示した斜視図である。
【図６】コードガイド用ローラーと巻き取り駆動用ローラーの位置関係を示すもので、可動アームと、可動アームを動かす方向を示した斜視図である。
【図７】バネを装着した状態を示した平面図である。
【図８】駆動部分を示した斜視図である。
【図９】簡略タイプのコード収納装置を示した斜視図である。
【図１０】簡略タイプのコード収納装置の扉と、コードの引き込まれる方向と位置を示した斜視図である。
【符号の説明】
１  従来の充電工具ケースの内部
２  コード収納用の囲い
３  ガイドローラー
４  円盤
５  ハンドル
６  バネ
７  コード
８  コード収納スペース
９  開き防止フック
１０  上蓋
１１  可動アーム
１２  引っ張る方向を示す
１３  大きいローラー
１４  扉
１５  収納スペース
１６  電線の位置と電線の引き込まれる方向を示す
【図１】
2004269072.tif 000003
【図２】
2004269072.tif 000004
【図３】
2004269072.tif 000005
【図４】
2004269072.tif 000006
【図５】
2004269072.tif 000007
【図６】
2004269072.tif 000008
【図７】
2004269072.tif 000009
【図８】
2004269072.tif 000010
【図９】
2004269072.tif 000011
【図１０】
2004269072.tif 000012